(57)【要約】【課題】主剤及び副剤の混合に関して優れた操作性を有する混合容器及びこれを備える混合容器を提供すること。【解決手段】主剤が収容される容器本体１１と、容器本体１１の口部に着脱自在に装着される装着部材１２と、副剤が収容され、装着部材１２の内側に配設されるカートリッジ体１３と、を備え、装着部材１２が、容器本体１１の口部に着脱自在に装着され、内側にカートリッジ体１３が装着される下側筒部２１と、下側筒部２１に下降移動自在に装着され、容器本体１１の内部と外部とを連通する連通孔２８Ａを有し、下方に向けて延設された押下筒部２８を有する上側筒部２２と、を備え、カートリッジ体１３が、内部に副剤が収容される有頂筒状のカートリッジ本体３１と、カートリッジ本体３１の下端開口を閉塞する閉塞体３２と、を備え、閉塞体３２には、押下筒部２８に対して下方から対向する係合部３６Ａが突設されている。【選択図】図１
2015163519.tif 000002
【特許請求の範囲】
【請求項１】
主剤が収容される容器本体と、
前記容器本体の口部に着脱自在に装着される装着部材と、
副剤が収容され、前記装着部材の内側に配設されるカートリッジ体と、を備え、
前記装着部材が、
前記容器本体の口部に着脱自在に装着され、内側に前記カートリッジ体が装着される下側筒部と、
前記下側筒部に下降移動自在に装着され、前記容器本体の内部と外部とを連通する連通孔を有し、下方に向けて延設された押下突片を有する上側筒部と、を備え、
前記カートリッジ体が、内部に前記副剤が収容される有頂筒状のカートリッジ本体と、前記カートリッジ本体の下端開口を閉塞する閉塞体と、を備え、
前記閉塞体には、前記押下突片に対して下方から対向する係合部が突設されていることを特徴とする混合容器。
【請求項２】
前記押下突片が、一端には前記連通孔が形成され、その内側を通して前記容器本体の内部と外部とを連通させる筒状をなすことを特徴とする請求項１に記載の混合容器。
【請求項３】
前記カートリッジ体には、前記カートリッジ本体及び前記閉塞体を一体に貫いて前記押下突片を挿通させる挿通孔が形成されていることを特徴とする請求項２に記載の混合容器。
【請求項４】
請求項３に記載の混合容器と、前記上側筒部に着脱自在に装着されており、吸上パイプを有する吐出器と、を備え、
前記吐出器の一部が、筒状をなす前記押下突片の内側に配設されていると共に、前記吸上パイプが容器本体の底部に達していることを特徴とする吐出容器。
【発明の詳細な説明】
【技術分野】
【０００１】
本発明は、混合容器及びこれを備える吐出容器に関するものである。
【背景技術】
【０００２】
２種の薬剤を混合する吐出容器としては、主剤が収容される第１容器と、副剤が収容される第２容器と、第１容器の口部内に嵌合されてこの口部を封止すると共に内側に倒立状態にある第２容器の口部を収容してこの口部を封止する有底筒状の中栓と、を備えるものが提案されている（例えば、特許文献１参照）。
このような構成の吐出容器では、例えば中栓を取り付けた状態で第２容器を第１容器から取り外し、第２容器から中栓を取り外した後に、第２容器内の副剤を第１容器内に注出し、主剤及び副剤を混合している。
【先行技術文献】
【特許文献】
【０００３】
【特許文献１】実開平１−１５８４８３号公報
【発明の概要】
【発明が解決しようとする課題】
【０００４】
しかしながら、上記従来の混合容器では、主剤及び副剤を混合するために、第２容器及び中栓を取り外す必要がある。そのため、操作性を向上させることに改善の余地があった。
【０００５】
本発明は、前述の課題に鑑みてなされたもので、主剤及び副剤の混合に関して優れた操作性を有する混合容器及びこれを備える混合容器を提供することを目的とする。
【課題を解決するための手段】
【０００６】
本発明は、上記のような課題を解決するために以下のような手段を採用した。すなわち、本発明の混合容器は、主剤が収容される容器本体と、前記容器本体の口部に着脱自在に装着される装着部材と、副剤が収容され、前記装着部材の内側に配設されるカートリッジ体と、を備え、前記装着部材が、前記容器本体の口部に着脱自在に装着され、内側に前記カートリッジ体が装着される下側筒部と、前記下側筒部に下降移動自在に装着され、前記容器本体の内部と外部とを連通する連通孔を有し、下方に向けて延設された押下突片を有する上側筒部と、を備え、前記カートリッジ体が、内部に前記副剤が収容される有頂筒状のカートリッジ本体と、前記カートリッジ本体の下端開口を閉塞する閉塞体と、を備え、
前記閉塞体には、前記押下突片に対して下方から対向する係合部が突設されていることを特徴とする。
【０００７】
この発明では、上側筒部を下側筒部に対して下降させると、押下突片が閉塞体の係合部を押下し、閉塞体がカートリッジ本体から離脱されてカートリッジ本体の下端開口が開放され、副剤が容器本体内の主剤に混入する。このように、上側筒部を下側筒部に対して下降させるだけで副剤を主剤と混合させることができ、また、主剤及び副剤に触れることなく両者を混合できるので、操作性が向上する。そして、副剤を容器本体内の主剤に混入するときに、閉塞体が容器本体内に落下するので、副剤の混入後に容器本体を揺動させるなどしたときに、閉塞体が主剤及び副剤の混合体を撹拌できるので、主剤と副剤とを容易にむらなく混合できる。
また、副剤を収容するカートリッジ体と上側筒部とを下側筒部に装着することによって装着部材を構成しており、これら全体を一体として主剤を収容する容器本体の口部に装着するので、内容物の充填及び組み付けを効率よく行うことができる。
さらに、下側筒部に副剤を収容するカートリッジ体を装着しており、カートリッジ体への副剤の充填と容器本体への主剤の充填とを別工程で行えるので、主剤と副剤とを充填する順番など、主剤及び副剤それぞれの充填工程に制約が生じることを防止できる。
その上、カートリッジ体を装着した下側筒部が容器本体の口部に対して着脱自在に装着されるので、主剤及び副剤の量や性状、主剤及び副剤の混合体の用途などに応じて、装着部材を量や性状などが異なる副剤が収容されたカートリッジ体が装着されている別の装着部材と交換することができ、取扱い性が向上する。ここで、カートリッジ体が下側筒部に対して着脱自在である場合には、混合容器を組み立てた後であっても、カートリッジ体を異なる副剤が収容されている別のカートリッジ体と交換することができるので、副剤の選択方法、交換方法が増え、混合容器の利便性が向上する。
【０００８】
また、本発明の混合容器では、前記押下突片が、一端には前記連通孔が形成され、その内側を通して前記容器本体の内部と外部とを連通させる筒状をなしてもよい。
この発明では、押下突片を通して混合後の内容物を外部に吐出できるので、混合容器の構成をより簡素化することができる。
【０００９】
また、本発明の混合容器では、前記カートリッジ体には、前記カートリッジ本体及び前記閉塞体を一体に貫いて前記押下突片を挿通させる挿通孔が形成されてもよい。
この発明では、押下突片を挿通孔に挿入することで押下突片と係合部とを上下方向で対向させて位置合わせできるので、装着部材の組み立てがより容易になる。
【００１０】
また、本発明の吐出容器は、上記記載の混合容器と、前記上側筒部に着脱自在に装着されており、吸上パイプを有する吐出器と、を備え、前記吐出器の一部が、筒状をなす前記押下突片の内側に配設されていると共に、前記吸上パイプが容器本体の底部に達していることを特徴とする。
この発明では、例えば落下した閉塞体が容器本体内で浮遊する場合であっても、落下した閉塞体に吸上パイプが挿通しているので、容器本体を揺動させたときに閉塞体が強制的に容器本体内を移動して混合体を撹拌する。これにより、主剤と副剤とを効率よく混合できる。
【発明の効果】
【００１１】
この発明にかかる混合容器及び吐出容器によれば、上側筒部を下側筒部に対して下降させるだけで主剤及び副剤に触れることなく副剤を主剤と混合できるので、主剤及び副剤の混合に関して優れた操作性を有する。
【図面の簡単な説明】
【００１２】
【図１】本発明の一実施形態にかかる吐出容器を示す軸方向断面図である。
【図２】図１の混合容器を示す分解軸方向断面図である。
【図３】図２の装着部材を示す分解軸方向断面図である。
【図４】図１の吐出容器の使用方法を説明する軸方向断面図である。
【発明を実施するための形態】
【００１３】
以下、本発明による混合容器及びこれを備える吐出容器の一実施形態を、図面に基づいて説明する。なお、以下の説明に用いる各図面では、各部材を認識可能な大きさとするために縮尺を適宜変更している。
【００１４】
本実施形態における吐出容器１は、例えば図１に示すように、混合容器２と、混合容器２に着脱自在に装着された吐出器３と、を備える。
混合容器２は、図２に示すように、主剤が収容される有底円筒状の容器本体１１と、容器本体１１の口部に着脱自在に装着される有頂円筒状の装着部材１２と、副剤が収容され、装着部材１２の内側に配設される円環状のカートリッジ体１３と、装着部材１２の上端開口を閉塞する栓体１４と、を備える。主剤は、例えば液体となっており、副剤は、例えば粉体となっている。なお、主剤及び副剤の形態は、適宜変更してもよい。
これら容器本体１１、装着部材１２及びカートリッジ体１３は、それぞれの中心軸線が共通軸上に位置した状態で配設されている。以下、この共通軸を容器軸Ｏと称し、図１において容器軸Ｏに沿って容器本体１１に対する装着部材１２側を上側、その反対側を下側とし、この容器軸Ｏから見た平面視で容器軸Ｏに直交する方向を径方向、容器軸Ｏ回りで周回する方向を周方向と称する。
【００１５】
装着部材１２は、図１から図３に示すように、容器本体１１の口部に着脱自在に装着され、内側にカートリッジ体１３が着脱自在に装着される円筒状の下側筒部２１と、下側筒部２１に下降移動自在に装着される円筒状の上側筒部２２と、を備える。これら下側筒部２１及び上側筒部２２は、それぞれの中心軸線を容器軸Ｏ上に位置した状態で配設されている。
【００１６】
下側筒部２１は、円筒状の第１装着筒部２３と、第１装着筒部２３よりも径方向内側に配設された円筒状の取付筒部２４と、第１装着筒部２３の上端と取付筒部２４の上下方向中間部とを接続する平面視で円環状の第１接続板部２５と、を有する。これら第１装着筒部２３、取付筒部２４及び第１接続板部２５は、それぞれの中心軸線を容器軸Ｏ上に位置した状態で配設されている。
第１装着筒部２３の内周面には、容器本体１１の口部の外周面に形成された雄ネジ部と螺合する雌ネジ部が形成されており、第１装着筒部２３は、容器本体１１の口部に対して着脱自在に螺着されている。
取付筒部２４の下側部分は、容器本体１１の口部の径方向内側に配設されており、第１装着筒部２３と共に容器本体１１の口部を径方向で挟み込む。
【００１７】
上側筒部２２は、円筒状の第２装着筒部２６と、第２装着筒部２６よりも径方向内側に配設された円筒状の挟込筒部２７と、挟込筒部２７よりも径方向内側に配設された円筒状の押下筒部（押下突片）２８と、第２装着筒部２６の上端と挟込筒部２７の上端と押下筒部２８の上下方向中間部とを接続する平面視で円環状の第２接続板部２９と、を有する。これら第２装着筒部２６、挟込筒部２７、押下筒部２８及び第２接続板部２９は、それぞれの中心軸線を容器軸Ｏ上に位置した状態で配設されている。
【００１８】
第２装着筒部２６の内周面には、取付筒部２４のうち第１接続板部２５より上方に位置する上側部分の外周面に形成された雄ネジ部と螺合する雌ネジ部が形成されており、第２装着筒部２６は、下側筒部２１の取付筒部２４に対して着脱自在に螺着されている。また、第２装着筒部２６の下端は、第１接続板部２５の上面から上方に離間しており、第２装着筒部２６の下端と第１接続板部２５の上面との間には、第２装着筒部２６の取付筒部２４に対する下降移動を規制する規制リング３０が配設されている。なお、この規制リング３０は、上側筒部２２を下側筒部２１に対して装着した状態で破断することによって下側筒部２１から取り外すことが可能となっている。ここで、規制リング３０は、破断可能な構成ではなく、平面視でＣ字状をなし、規制リング３０を弾性変形させることによって下側筒部２１から取り外すように構成されてもよく、上側筒部２２を下側筒部２１から取り外した後に上方に引き上げることによって取り外すように構成されてもよい。
【００１９】
挟込筒部２７は、第２装着筒部２６と共に取付筒部２４を径方向で挟み込んでいる。
押下筒部２８の内径及び外径は、上方から下方に向かうにしたがって３段に縮径している。また、押下筒部２８の上側部分は、第２接続板部２９よりも上方に突出しており、その上端開口は、容器本体１１の内部と外部とを連通する連通孔２８Ａとなっている。
【００２０】
カートリッジ体１３は、下側筒部２１の取付筒部２４に対して着脱自在に配設されており、内部に副剤が収容される有頂円筒状のカートリッジ本体３１と、カートリッジ本体３１の下端開口を閉塞する有底円筒状の閉塞体３２と、を有する。これらカートリッジ本体３１及び閉塞体３２は、それぞれの中心軸線を容器軸Ｏ上に位置した状態で配設されている。また、これらカートリッジ本体３１及び閉塞体３２それぞれの中央に形成されている開口部は、押下筒部２８を挿通させる挿通孔１３Ａを構成する。
【００２１】
カートリッジ本体３１は、下側筒部２１の取付筒部２４の内側に嵌合されており、円筒状の外側筒部３３と、径方向で外側筒部３３及び押下筒部２８の間に配設された内側筒部３４と、外側筒部３３の上端及び内側筒部３４の上端を連結する平面視で円環状の天板部３５と、を有する。これら外側筒部３３、内側筒部３４及び天板部３５は、それぞれの中心軸線を容器軸Ｏ上に位置した状態で配設されている。
【００２２】
閉塞体３２は、円環状の底壁部３６と、底壁部３６の外周縁から上方に向けて延設され、カートリッジ本体３１内に嵌合された円筒状の周壁部３７と、を有する。
底壁部３６の内周縁上には、内側筒部３４の下端が配設されている。また、底壁部３６の内周縁には、カートリッジ本体３１の内側筒部３４よりも径方向内側に向けて突出する平面視で円環状の係合部３６Ａが設けられている。この係合部３６Ａは、押下筒部２８の下端に対して下方から対向している。
周壁部３７の下端部には、径方向外側に向けて突出して外側筒部３３の内周面に摺接するシール部３７Ａが形成されている。
ここで、閉塞体３２のカートリッジ本体３１に対する嵌合強度は、カートリッジ本体３１の取付筒部２４に対する嵌合強度よりも小さくなっている。これにより、カートリッジ体１３を下側筒部２１の取付筒部２４に装着した状態で閉塞体３２をカートリッジ本体３１から離脱させるときに、カートリッジ本体２１が取付筒部２４から離脱することを防止する。
【００２３】
栓体１４は、図２及び図３に示すように、円筒状の第３装着筒部４１と、第３装着筒部４１よりも径方向内側に配設された有底円筒状の栓筒部４２と、第３装着筒部４１の上端及び栓筒部４２の上端を連結する平面視で円環状の頂壁部４３と、を有する。これら第３装着筒部４１、栓筒部４２及び頂壁部４３は、それぞれの中心軸線を容器軸Ｏ上に位置した状態で配設されている。
第３装着筒部４１の内周面には、上側筒部２２の押下筒部２８のうち第２接続板部２９より上方に位置する上側部分の外周面に形成された雄ネジ部と螺合する雌ネジ部が形成されており、第３装着筒部４１は、押下筒部２８に対して着脱自在に螺着されている。
栓筒部４２は、押下筒部２８内に挿入されており、押下筒部２８のうち第２接続板部２９より下方に位置する下側部分の内側に嵌合されている。
【００２４】
吐出器３は、図１に示すように、上方付勢状態で下方移動可能に起立したステム５６を有するポンプ本体５１と、ポンプ本体５１を上側筒部２２の押下筒部２８に装着させる有頂円筒状の装着キャップ５２と、ポンプ本体５１に装着された吐出ヘッド５３と、上端部がポンプ本体５１に取り付けられた吸上パイプ５４と、を備える。
ポンプ本体５１は、円筒状のシリンダ５５と、シリンダ５５に対して上方付勢状態で容器本体１１に向けて下降移動可能に立設されたステム５６と、を備えている。なお、ポンプ本体５１は、公知のポンプ機構であるので、その詳細な説明を省略する。また、ポンプ本体５１としては、種々のポンプ機構を採用できる。
吸上パイプ５４の上端部は、シリンダ５５の内側に取り付けられている。また、吸上パイプ５４は、カートリッジ体１３の挿通孔１３Ａを挿通しており、その下端が容器本体１１の底部に達している。
【００２５】
次に、以上のような構成の混合容器２の組み立て方法について説明する。
まず、上下反転させたカートリッジ本体３１内に副剤を充填し、カートリッジ本体３１の開口部を閉塞体３２で閉塞し、カートリッジ体１３を形成する。そして、図３に示すように、カートリッジ本体３１側からカートリッジ体１３を下側筒部２１の取付筒部２４内に挿入する。その後、図２に示すように、カートリッジ体１３を取り付けた装着部材１２を主剤が収容されている容器本体１１の口部に装着する。
以上のようにして、混合容器２を組み立てる。
【００２６】
続いて、以上のような構成の混合容器２を備える吐出容器１の使用方法について説明する。
まず、混合容器２に吐出器３を取り付けて吐出容器１を組み立てる。ここでは、栓体１４を取り外し、吸上パイプ５４側から吐出器３を押下筒部２８の内側に挿入する。また、吐出器３の装着キャップ５２を押下筒部２８に螺着する。
次に、上述のように規制リング３０を破断したりすることによって規制リング３０を取り外し、上側筒部２２を下側筒部２１に対して螺着していき、上側筒部２２を下側筒部２１に対して下降させる。上側筒部２２を下降させると、押下筒部２８の下端が閉塞体３２の係合部３６Ａに当接し、係合部３６Ａを下方に向けて押し込む。そして、図４に示すように、閉塞体３２は、カートリッジ本体３１から離脱し、容器本体１１内に落下する。これにより、カートリッジ本体３１内に収容されている副剤が容器本体１１内に収容されている主剤に混入される。
【００２７】
そして、例えば容器本体１１を揺らすことによって、主剤と副剤との混合をさせる。ここで、閉塞体３２が容器本体１１内に落下しているので、容器本体１１を揺らすことによって閉塞体３２が主剤と副剤とを撹拌し、両者の混合を促進させる。このとき、吸上パイプ５４の下端部が容器本体１１の底部に達しており、閉塞体３２の中央開口部に吸上パイプ５４挿通されているので、容器本体１１を揺らしたときに閉塞体３２が吸上パイプ５４と共に揺れ、主剤と副剤とを撹拌する。例えば落下した閉塞体３２が主剤内で浮遊していても、吸上パイプ５４によって強制的に容器本体１１内を移動するので、閉塞体３２は、主剤と副剤とを効率よく撹拌する。
その後、吐出器３を用いて容器本体１１内の内容物を適宜吐出させる。内容物は、吸上パイプ５４を通って吐出ヘッド５３の吐出口から吐出される。
以上のようにして、混合容器２を備える吐出容器１を使用する。なお、すべての内容物を使用した後は、容器本体１１内に新たに主剤を充填すると共に新たな副剤が充填されている別のカートリッジ体１３を装着部材１２に装着し、さらに吐出器３を再使用して内容物の吐出を行ってもよい。
【００２８】
本実施形態における混合容器２及びこれを備える吐出容器１によれば、上側筒部２２を下側筒部２１に対して下降させるだけで閉塞体３２がカートリッジ本体３１から離脱してカートリッジ本体３１を開放し、主剤及び副剤に触れることなく副剤を主剤と混合できるので、簡便な操作で混合が行える。また、容器本体１１を揺らすことによって主剤と副剤との混合体を混合させる際、下降時に落下した閉塞体３２がこの混合体を撹拌するので、混合が効率よく行える。ここで、本実施形態における吐出容器１によれば、吸上パイプ５４の下端が容器本体１１の底部に達しており、閉塞体３２の中央開口部に吸上パイプ５４挿通されているので、例えば落下した閉塞体３２が主剤内で浮遊していても、容器本体１１を揺らしたときに吸上パイプ５４によって強制的に容器本体１１内を移動し、主剤と副剤とを効率よく撹拌できる。
【００２９】
また、本実施形態における混合容器２及びこれを備える吐出容器１によれば、副剤が収容されているカートリッジ体１３が取り付けられた装着部材１２を主剤が収容されている容器本体１１に着脱自在に装着しており、装着部材１２と容器本体１１とが別体となっているので、主剤と副剤とを充填する順番など、主剤及び副剤それぞれの充填工程に制約が生じない。そして、目的に応じて装着部材１２を別のものと交換することで副剤を変更できるので、混合容器２の取扱い性が向上する。さらに、カートリッジ体１３が装着部材１２に対して取り外し自在であるので、カートリッジ体１３自体を別のものと交換することで副剤を変更でき、混合容器２の取扱い性がさらに向上する。
また、主剤と副剤との混合後に、押下筒部２８を通して内容物を外部に吐出できるので、混合容器２の構成をより簡素化することができる。そして、押下筒部２８をカートリッジ体１３の挿通孔１３Ａに挿入することで押下筒部２８と係合部３６Ａとを上下方向で対向させることができるので、装着部材１２の組み立てがより容易になる。
【００３０】
なお、本発明は上記実施形態に限定されるものではなく、本発明の趣旨を逸脱しない範囲において種々の変更を加えることができる。
例えば、上側筒部は、下側筒部に対して螺着されているが、下側筒部に対して下方に移動して係合部を下方に押し込むことができれば、他の取付構造によって下側筒部に対して着脱自在に装着されてもよい。
押下突片は、筒状をなす押下筒部として形成されているが、上側筒部において係合部に対して上方から対向するように設けられていれば、筒状に限らず、他の形状であってもよい。また、押下突片に連通孔を形成せずに、上側筒部の他の部分に連通孔を形成してもよい。
カートリッジ体は、挿通孔が形成された環状をなしているが、上側筒部に形成されている押下突片に下方から対向する係合部が設けられていれば、挿通孔が設けられていない他の形状であってもよい。
また、カートリッジ体は、下側筒部の取付筒部の内側に着脱自在に嵌合されているが、例えば螺合など他の取付構造によって取付筒部に対して取り付けられていてもよく、下側筒部に対して着脱不能に取り付けられていてもよい。例えば、他の取付構造としては、下側筒部の取付筒部の内周面に、径方向内側から外側に見て逆Ｌ字状をなし、取付筒部の下端から上方に向けて延在すると共に上端で周方向に沿って屈曲する取付溝部を形成し、カートリッジ本体の外側筒部の外周面に、取付溝部に沿って移動可能な取付突部を形成した構造であってもよい。なお、これら取付溝部及び取付突部は、周方向で複数箇所（例えば２箇所）に設けられていることが好ましい。この取付構造では、取付溝部の下端と取付突部とを位置合わせした状態でカートリッジ体を下側筒部に対して上方に移動させ、その後カートリッジ体を下側筒部に対して容器軸回りに回転させることによって、カートリッジ体を下側筒部に対して着脱自在に装着する。
混合容器には、栓体が設けられているが、栓体を設けなくてもよい。
吐出器は、ポンプに限らず、スポイトやノズルなど他の構造の吐出器であってもよい。このとき、吐出器が例えばスポイトである場合、吸上パイプがスポイトの吸込口部を構成する。
また、吐出器の下端は、容器本体の底部に達しているが、必ずしも底部まで達していなくてもよい。さらに、吐出器を設けずに、押下筒部の内側を通して連通孔から内容物を吐出させてもよい。
下側筒部に対して上側筒部の下降を規制する規制リングが配設されているが、他の部材により上側筒部の下降を規制してもよく、規制リングを配設しなくてもよい。
【産業上の利用可能性】
【００３１】
この発明によれば、優れた操作性を有する混合容器及びこれを備える混合容器に関して、産業上の利用可能性が認められる。
【符号の説明】
【００３２】
１  吐出容器、２  混合容器、３  吐出器、１１  容器本体、１２  装着部材、１３  カートリッジ体、１３Ａ  挿通孔、２１  下側筒部、２２  上側筒部、２８  押下筒部（押下突片）、２８Ａ  連通孔、３１  カートリッジ本体、３２  閉塞体、３６Ａ  係合部
【図１】
2015163519.tif 000003
【図２】
2015163519.tif 000004
【図３】
2015163519.tif 000005
【図４】
2015163519.tif 000006